(57)【要約】【課題】簡単に入退室する扉を特定することができる入退室管理システムを提供する。【解決手段】入退室管理システムは、予め部屋に入室することが認められている人を識別し、上記部屋の入退室口に設けられた扉の電気錠を解旋錠する入退室コントローラが備えられる入退室管理システムにおいて、上記入退室コントローラに接続され、入室または退室を要求する人により操作される画像入力機能が付いている携帯端末が備えられ、上記扉には、上記扉を識別する扉識別標章が表示され、上記携帯端末は、上記扉識別標章を画像データとして取り込み、解錠要求に際して該扉識別標章を上記入退室コントローラに送信し、上記入退室コントローラは、上記携帯端末から受信した上記扉識別標章に基づいて上記扉を特定し、該扉の上記電気錠の解錠を指令する解錠処理手段を有する。【選択図】図１
2006104801.tif 000002
【特許請求の範囲】
【請求項１】
予め部屋に入室することが認められている人を識別し、上記部屋の入退室口に設けられた扉の電気錠を解旋錠する入退室コントローラが備えられる入退室管理システムにおいて、
上記入退室コントローラに接続され、入室または退室を要求する人により操作される画像入力機能が付いている携帯端末が備えられ、
上記扉には、上記扉を識別する扉識別標章が表示され、
上記携帯端末は、上記扉識別標章を画像データとして取り込み、解錠要求に際して該扉識別標章を上記入退室コントローラに送信し、
上記入退室コントローラは、
上記携帯端末から受信した上記扉識別標章に基づいて上記扉を特定し、該扉の上記電気錠の解錠を指令する解錠処理手段を有することを特徴とする入退室管理システム。
【請求項２】
上記扉には、上記扉の入口側と出口側とにそれぞれを識別する入口／出口標章が表示され、
上記携帯端末は、上記入口／出口標章を画像データとして取り込み、解錠要求に際して該入口／出口標章を上記入退室コントローラに送信し、
上記入退室コントローラは、入退室履歴データが記憶される入退室履歴データベースを有し、
上記解錠処理手段は、アンチパスバックチェックとして上記携帯端末から受信した上記入口／出口標章から入口側または出口側を特定し、上記入退室履歴データから上記携帯端末が上記部屋の外にあると特定されるとともに上記出口側が特定されるとき、また、上記入退室履歴データから上記携帯端末が上記部屋の内にあると特定されるとともに上記入口側が特定されるとき、解錠を指令しないことを特徴とする請求項１に記載の入退室管理システム。
【請求項３】
上記携帯端末は、上記解錠を要求する人の体の部分の映像を取り込み、上記扉識別標章の画像データと一緒に上記入退室コントローラに伝送し、
上記入退室コントローラは、該解錠の要求が認められないとき、また、上記アンチパスバックチェックにおいて解錠の指令がなされないとき、該解錠を要求する人の体の部分の映像を記憶することを特徴とする請求項２に記載の入退室管理システム。
【請求項４】
上記携帯端末は、カメラ付き携帯電話機からなり、
上記入退室コントローラは、上記部屋への入室が認められている人が所持する上記携帯電話機の電話番号が登録されている登録者データベースと、解錠要求に用いられる上記携帯電話機の電話番号が上記登録された電話番号に一致するとき、上記解錠要求は上記入室が認められている人により行われたと判断する入退室者認証手段と、を有することを特徴とする請求項１に記載の入退室管理システム。
【請求項５】
上記携帯端末は、解錠要求に際して上記通行人のバイオメトリクス情報を取得して上記入退室コントローラに伝送し、
上記入退室コントローラは、上記部屋への入室が認められている人のバイオメトリクス情報が登録されている登録者データベースと、上記携帯端末から受信したバイオメトリクス情報が上記登録されているバイオメトリクス情報と一致するとき、上記解錠要求は上記入室が認められている人により行われたと判断する入退室者認証手段と、を有することを特徴とする請求項１に記載の入退室管理システム。
【発明の詳細な説明】
【技術分野】
【０００１】
この発明は、入退室に際し、個人を識別して入退室管理を行う入退室管理システムに関する。
【背景技術】
【０００２】
従来の入退室管理システムは、隣接する複数の扉に設けられた電気錠を制御する錠制御装置に接続された受信側通信端末装置が設けられ、この受信側通信端末装置は、携帯端末装置から送信されてきた電子メールから送信者の電子メールアドレスを検索し、検索した電子メールアドレスが既に登録されたものと一致するかどうかを判定手段によって判定し、一致した場合に、電子メールのメッセージから対応する扉に設けた電気錠を特定手段によって特定し、錠制御装置によって解錠あるいは施錠する（例えば、特許文献１参照）。
【０００３】
【特許文献１】特開２００３−７４２３５号公報
【発明の開示】
【発明が解決しようとする課題】
【０００４】
しかし、従来の入退室管理システムでは、扉を特定するメッセージを電子メールのメッセージの中に書き込まなければならないので、入退室する都度、電子メールのメッセージを携帯端末装置の入力キーにより入力するという煩雑な手続きが必要になるという問題がある。
また、入退室を希望する人が扉を特定するメッセージを覚えておかなければならず、忘れたとき入退室ができなくなるという問題がある。特に、部屋に複数の扉があるような場合、それぞれを確認することが必要になり、煩雑な手続きになってしまうという問題がある。
【０００５】
この発明の目的は、簡単に入退室する扉を特定することができる入退室管理システムを提供することである。
【課題を解決するための手段】
【０００６】
この発明に係わる入退室管理システムは、予め部屋に入室することが認められている人を識別し、上記部屋の入退室口に設けられた扉の電気錠を解旋錠する入退室コントローラが備えられる入退室管理システムにおいて、上記入退室コントローラに接続され、入室または退室を要求する人により操作される画像入力機能が付いている携帯端末が備えられ、上記扉には、上記扉を識別する扉識別標章が表示され、上記携帯端末は、上記扉識別標章を画像データとして取り込み、解錠要求に際して該扉識別標章を上記入退室コントローラに送信し、上記入退室コントローラは、上記携帯端末から受信した上記扉識別標章に基づいて上記扉を特定し、該扉の上記電気錠の解錠を指令する解錠処理手段を有する。
【発明の効果】
【０００７】
この発明に係わる入退室管理システムは、カメラにより扉識別標章を取り込むので、簡単に扉を特定することのできる情報を送ることができる。
【発明を実施するための最良の形態】
【０００８】
実施の形態１．
図１は、この発明の実施の形態１に係わる入退室管理システムのブロック図である。図２は、実施の形態１に係わる扉識別標章が貼付された扉の正面図である。図３は、実施の形態１に係わる入退室コントローラの機能ブロック図である。図４は、登録者データベースのデータ構造を示す図である。図５は、入退室履歴データベースのデータ構造を示す図である。図６は、不審者データベースのデータ構造を示す図である。図７は、実施の形態１に係わる入退室の手順のフローチャートである。
【０００９】
この発明に係わる入退室管理システムは、入退室の管理が行われている管理領域に含まれる部屋への入室および部屋からの退室を管理するシステムである。なお、部屋を対象にして説明するが、建物に関する入退館、施設に関する入退場の管理が必要な場合も同様にこの発明を適用することができる。
また、以下の説明においては、ＡビルのＮ階の部屋Ｎａおよび部屋Ｎｂが管理領域に含まれている例を挙げて説明する。なお、部屋数などがこの発明を限定するものではない。
そして、部屋Ｎａおよび部屋Ｎｂは、図１に示すように、入退室口に扉１ａ、１ｂが備えられている。扉１ａ、１ｂは、ドアノブ２が備えられ、ドアノブ２を操作することにより、扉１ａ、１ｂの開閉を手動で行うことができる。なお、扉１ａ、１ｂの開閉を自動で行える扉開閉機構が備えられた自動扉の場合も同様にこの発明を適用することができる。
そして、ドアノブ２には、その旋錠・解錠を行う電気錠３がそれぞれに設けられている。
【００１０】
また、扉１ａ、１ｂには、図２に示すように、扉１ａ、１ｂが識別できるように扉１ａ、１ｂ毎に割り振られた扉識別標章としての扉番号１２および扉１ａ、１ｂについて人が部屋に入る側と人が部屋から出る側とを識別できるように入口側と出口側とを表す入口／出口標章１３が記載された銘板１１が扉１ａ、１ｂに貼付されている。入口／出口標章１３は、「丸の中の漢字入」と「丸の中の漢字出」からなっている。図２の（ａ）は、扉１ａ、１ｂを部屋の外側から見た様子であり、図２の（ｂ）は、扉１ａ、１ｂを部屋の内側から見た様子である。
なお、扉識別標章は、扉番号１２以外に、当該部屋に在籍している部署の部署名、イラスト、写真など、扉１ａ、１ｂを識別できる標章であれば、どのような標章であっても、この発明に適用することができる。
また、扉識別標章として、２次元バーコードを用いることもでき、その２次元バーコードには入口側または出口側の情報も含めることができる。
【００１１】
さらに、入退室管理システムは、電気錠３をコントロールする錠制御装置４、入退室者が所持する画像入力機能付き携帯情報端末としてのカメラ付き携帯電話機５、カメラ付き携帯電話機５から入力される解錠要求に基づき錠制御装置４に解錠指令を送信する入退室コントローラ６が備えられている。
そして、錠制御装置４と入退室コントローラ６との間は通信回線７を介して接続されている。さらに、入退室コントローラ６とカメラ付き携帯電話機５との間は公衆回線８を介して接続されている。入退室コントローラ６の図示しないモデムが公衆回線８に接続されている。なお、公衆回線８の代わりに、インターネットや無線ＬＡＮなどでも、画像入力機能付き携帯情報端末と入退室コントローラ６との間の通信を行うことができる。
【００１２】
カメラ付き携帯電話機５は、携帯電話会社が提供している携帯電話システムに準拠し、カメラが備えられた通常のものである。このカメラ付き携帯電話機５は、カメラにより画像データを取り込み、その画像データを画像ファイルに変換する。そして、この画像ファイルをカメラ付き携帯電話機５から基地局９に無線により送信し、その基地局９から公衆回線８を経由して入退室コントローラ６に送信する。なお、画像入力機能付き携帯情報端末は、カメラ付き携帯電話機５以外に、無線ＬＡＮなどに接続可能な無線情報端末が備えられた携帯端末とデジタルカメラとを組み合わせたものであってもよく、これを用いて入退室コントローラ６に解錠要求を行うことができる。
入退室コントローラ６とカメラ付き携帯電話機５との間では、カメラ付き携帯電話機５からの呼びに対応して、回線が成立する。そして、入退室コントローラ６からカメラ付き携帯電話機５へ送られた対応信号は、カメラ付き携帯電話機５の受話器から音声として、またはカメラ付き携帯電話機５の表示部から画像として出力される。また、カメラ付き携帯電話機５から入退室コントローラ６への対応信号は、入力キー、カメラ、送話器から入力される。
【００１３】
入退室コントローラ６は、図３に示すように、管理領域に含まれる部屋Ｎａおよび部屋Ｎｂへ入室が認められている登録者に係わる情報が予め登録されている登録者データベース１５、カメラ付き携帯電話機５からの解錠要求が登録者の所持しているカメラ付き携帯電話機５からのものか否かを判断する入退室者認証手段１６、カメラ付き携帯電話機５から入力された銘板の画像データに基づき解錠の対象の電気錠３を特定し、錠制御装置４に解錠指令を送る解錠処理手段１７、入退室者の履歴を記憶する入退室履歴データベース１８、解錠要求が登録されていないカメラ付き携帯電話機５から行われたとき、または、カメラ付き携帯電話機５が不正使用されたとき、当該解除要求の内容が記憶される不審者データベース１９を有している。入退室コントローラ６は、ＣＰＵ、ＲＡＭ、ＲＯＭ、コントローラを有するコンピュータから構成されている。
【００１４】
登録者データベース１５は、図４に示すように、登録者毎に、登録者の氏名、所持しているカメラ付き携帯電話機５の電話番号、通行できる扉に係わる扉番号、通行ができる時間帯が記憶されている。
【００１５】
解錠処理手段１７は、解除要求があり、解除要求が登録されたカメラ付き携帯電話機５からの場合、入退室履歴データベース１８を電話番号で検索して、その電話番号の最新の入退室履歴データを呼び出してくる。そして、そのカメラ付き携帯電話機５の所在を確認する。入退室履歴データのうち、入室フラグが１の場合、部屋の内にあると判断し、逆に、入室フラグが０の場合、部屋の外にあると判断する。
【００１６】
次に、解錠処理手段１７は、銘板１１の扉番号１２から扉１ａ、１ｂを特定する。
また、解錠処理手段１７は、銘板１１の入口／出口標章１３から入口側か出口側かを特定する。
そして、解錠処理手段１７は、カメラ付き携帯電話機５が部屋の外にあり、入口側が特定されているとき、入室と判断し、当該扉１ａ、１ｂの電気錠３を解錠する。続いて、解錠処理手段１７は、新たなレコードを入退室履歴データベースに用意し、入室時の解除要求が行われた時刻として現時刻を、入室フラグに１を、解錠した扉の扉番号を、顔画像ファイルを入退室履歴データとして入退室履歴データベース１８に記憶する。
また、解錠処理手段１７は、カメラ付き携帯電話機５が部屋の内にあり、出口側が特定されているとき、退室と判断し、当該扉１ａ、１ｂの電気錠３を解錠する。続いて、解錠処理手段１７は、最新の入退室履歴データに退室時の解除要求が行われた時刻として現時刻を追加し、入室フラグの１を０に変更して入退室履歴データベース１８に記憶する。
このように入退室毎に、その履歴が記憶されるので、登録者に対するアクセスコントロールを行うことができる。そして、この入退室履歴データから出退勤を管理することができる。
【００１７】
また、解錠処理手段１７は、カメラ付き携帯電話機５が部屋の内にあり、入口側が特定されたとき、不正通行として判断し、解錠を行わずに、現時刻、電話番号、顔画像ファイルを不審者データベース１９に記憶する。
また、解錠処理手段１７は、カメラ付き携帯電話機５が部屋の外にあり、出口側が特定されたとき、不正通行として判断し、解錠を行わずに、現時刻、電話番号、顔画像ファイルを不審者データベース１９に記憶する。
このように、カメラ付き携帯電話機５の所在と扉の入口側または出口側とに基づいて、解除要求が正しく行われたことを確認したのち解錠するので、カメラ付き携帯電話機５が不正に渡されて使われることを防ぐことができる。
そして、不正使用と判断したとき、不審者データベース１９に記録が残されるので、不正使用を行った人の特定も容易にできる。
【００１８】
そして、入退室履歴データベース１８は、図５に示すように、電話番号毎に、入室時の解除要求が行われた時刻、退室時の解錠要求が行われた時刻、入室フラグ、解錠した扉の扉番号、入室時の解錠要求に添付されている顔画像ファイルが記憶されている。
【００１９】
また、不審者データベース１９は、図６に示すように、登録者データベース１５に登録されていないカメラ付き携帯電話機５から解錠要求があったとき、または、不正使用が行われたとき、解除要求が行われた時刻、電話番号、解錠要求に添付されている顔画像ファイルが記録されている。
【００２０】
次に、入退室管理システムを用いて入退室を管理する手順を図７を参照して説明する。なお、図７は、解錠希望者がカメラ付き携帯電話機５から解錠要求を行い、それに基づいて入退室コントローラ６が電気錠３を解錠するように錠制御装置４に解錠指令する手順を、カメラ付き携帯電話機５および入退室コントローラ６双方の動作を示すフローチャートである。
【００２１】
ステップ１０１で、入退室が管理されている部屋に入室または部屋から退室しようとする解錠希望者は、カメラ付き携帯電話機５で自身の顔画像データと銘板画像データとを取得し、顔画像ファイルと銘板画像ファイルに変換する。
ステップ１０２で、解錠希望者は、カメラ付き携帯電話機５から入退室コントローラ６に電話を掛けて回線を成立させ、顔画像ファイルと銘板画像ファイルとを入退室コントローラ６に伝送する。
ステップ１０３で、入退室者認証手段１６は、入退室コントローラ６に割り当てられている電話番号に電話が掛かっているか否かを判断する。電話が掛かっていないとき、ステップ１０３を繰り返す。電話が掛かっているとき、ステップ１０４へ進む。
ステップ１０４で、入退室者認証手段１６は、解錠希望者がかけたカメラ付き携帯電話機５の電話番号が登録者データベース１５に登録されているか否かを判断し、登録者データベース１５に登録されていないとき、ステップ１０５へ進み、登録者データベース１５に登録されているとき、ステップ１０７へ進む。
【００２２】
ステップ１０５で、入退室者認証手段１６は、「登録されていませんので、受付に連絡して下さい。」と当該のカメラ付き携帯電話機５に電話し、不審者データベース１９に、現時刻、電話番号、顔画像ファイルを記憶して入退室コントローラ６の処理を終了し、ステップ１０６へ進む。
ステップ１０６で、カメラ付き携帯電話機５の受話器から「登録されていませんので、受付に連絡して下さい。」と聞こえたら、解錠希望者は、解錠要求の処理を終了する。
【００２３】
ステップ１０７で、解錠処理手段１７は、解錠要求に添付された銘板画像ファイルから扉番号１２を、入口出口標章１３から入口側または出口側を特定する。
ステップ１０８で、解錠処理手段１７は、入退室履歴データベース１８を電話番号により検索し、その電話番号のカメラ付き携帯電話機５の所在を確認する。部屋の外に所在しているとき、ステップ１０９へ進む、部屋の内に所在しているとき、ステップ１１３へ進む。
ステップ１０９で、解錠処理手段１７は、銘板の入口／出口標章が入口側であるか否かを判断する。入口側のときステップ１１０へ進み、出口側のときステップ１１７へ進む。
ステップ１１０で、解錠処理手段１７は、電気錠３を一時解錠して、「解錠致しましたので入室できます。」とカメラ付き携帯電話機５に電話して、ステップ１１１へ進む。
ステップ１１１で、解錠処理手段１７は、扉が一旦開いた後、閉じたことを検出したのち、当該電気錠３を旋錠して、認証していない人の入退室を防止する。さらに、解錠処理手段１７は、入退室履歴データベース１８に、入室時の解除要求が行われた時刻、解錠要求を行った電話番号、入室フラグに１、解錠した扉の扉番号、顔画像ファイルを記憶して入退室コントローラ６の処理を終了する。
ステップ１１２で、解錠希望者は、電気錠３が解錠されるので、所望の部屋に入室することができる。
【００２４】
ステップ１１３で、解錠処理手段１７は、銘板の入口／出口標識が出口側であるか否かを判断する。出口側のときステップ１１４へ進み、入口側のときステップ１１７へ進む。
ステップ１１４で、解錠処理手段１７は、電気錠３を一時解錠して、「解錠致しましたので退室できます。」とカメラ付き携帯電話機５に電話して、ステップ１１５へ進む。
ステップ１１５で、解錠処理手段１７は、扉が一旦開いた後、閉じたことを検出したのち、当該電気錠３を旋錠して、認証していない人の入退室を防止する。さらに、解錠処理手段１７は、入退室履歴データベース１８に、退室時の解除要求が行われた時刻を追加し、入室フラグの１を０に変更して記憶して入退室コントローラ６の処理を終了する。
ステップ１１６で、解錠希望者は、電気錠３が解錠されるので、部屋から退室することができる。
【００２５】
ステップ１１７で、カメラ付き携帯電話機５が不正に渡された可能性があるので、「部屋に出入りすることができませんので、受付に連絡して下さい。」と当該カメラ付き携帯電話機５に電話し、不審者データベース１９に、現時刻、電話番号、顔画像ファイルを記憶して入退室コントローラ６の処理を終了する。
【００２６】
このように、カメラにより扉識別標章を取り込むので、簡単に扉を特定することのできる情報を送ることができる。
また、携帯電話システムを活用するので、新たに各部屋の入退室口の近くにそれぞれ個人認証手段を備えなくても入退室管理システムが構築でき、安価なシステム構成にすることができる。
また、個人認証手段としてＩＤカードを採用した場合に起こるＩＤカードの紛失に伴う再発行などのメンテナンス費用を少なく済ますことができる。
【００２７】
なお、実施の形態１の入退室管理システムでは、電気錠３を常時閉めているが、管理者により電気錠３をある期間開けておくことができるように、設定してもよい。
【００２８】
また、一般的な入退室管理システムと同様に、携帯電話システムを用いて登録者の所在を管理することができる。このようにして在勤者の所在位置を常時確認することができる。
【００２９】
また、例えば、２人が１回の解錠の間に入室した場合、自身のカメラ付き携帯電話機５から解錠要求をした人は退室のとき、在室が確認されているので、退室のための解錠が許可されるが、他の１人は在室が確認されていないので、自身のカメラ付き携帯電話機５から解錠要求を行っても、解錠が許可されないので、退室することができない。このように、他人の入室に便乗して入室した人は、退室できなくなるので、セキュリティを向上することができる。
【００３０】
また、カメラ付き携帯電話機５はＩＤカードと異なり厚さが厚いから入退室後に扉の隙間などから室内外の他人に渡すことができないので、アンチパスバックチェックを行う機能を有しており、セキュリティを向上することができる。なお、１つの部屋に関するローカルアンチパスバックチェックだけでなく、建物全体に関するグローバルアンチパスバックチェックも実施することができる。
【００３１】
また、入退室履歴データベース１８のデータを用いることにより、登録者の出退勤の管理も行うことができる。
なお、この発明は１つの部屋から適用することができる。
また、登録者データベース１５に電話番号を登録する方法について特に記載していないが、一般的な方法を採用することにより登録することができる。
【００３２】
実施の形態２．
図８は、この発明の実施の形態２に係わる入退室管理システムによる入退室管理の手順のフローチャートである。
実施の形態２の入退室管理システムは、個人識別情報が異なっていて、その他は実施の形態１の入退室管理システムと同様であるので、同様な部分の説明は省略する。
実施の形態１においては、個人識別情報としてのカメラ付き携帯電話機５の電話番号に基づき登録者か否かを判断しているが、実施の形態２においては、カメラ付き携帯電話機５から伝送されるバイオメトリクス情報に基づき登録者か否かを判断している。なお、バイオメトリクス情報の例として、以下の説明において指紋を例にあげているが、虹彩、顔形、音声などを用いることができる。
そして、これら個人識別情報が登録者データベース１５に予め登録されている。
【００３３】
カメラ付き携帯電話機５は、指紋を画像データとして取得し、その画像データを指紋画像ファイルに変換する図示しない指紋取得パネルが備えられている。なお、虹彩や顔形の場合、カメラ付き携帯電話機５に備えられているカメラにより画像データとして取り込まれ、その画像データが画像ファイルに変換される。
【００３４】
次に、指紋を個人識別情報として用いる実施の形態２の入退室管理システムによる入退室管理の手順について図８を参照して説明する。なお、ステップ１０７〜ステップ１１８は、図７に示すフローチャートのステップと同様であるので、同様なステップについては同じ符号を付けて説明は省略する。
ステップ２０１で、入退室が管理されている部屋に入室または部屋から退室しようとする解錠希望者は、カメラ付き携帯電話機５で個人識別情報としての指紋画像ファイル、顔画像ファイルおよび銘板画像ファイルを取得する。指紋画像ファイルは、指紋取得パネルに指を載せて取得した指紋画像データを電子ファイルに変換したものである。
ステップ２０２で、解錠希望者は、カメラ付き携帯電話機５から入退室コントローラ６に電話を掛けて回線をつなぎ、指紋画像ファイル、顔画像ファイルおよび銘板画像ファイルを入退室コントローラ６に伝送する。
ステップ２０３で、入退室者認証手段１６は、入退室コントローラ６に割り当てられている電話番号に電話が掛かっているか否かを判断する。電話が掛かっていないとき、ステップ２０３を繰り返す。電話が掛かっているとき、ステップ２０４へ進む。
ステップ２０４で、入退室者認証手段１６は、解錠希望者のカメラ付き携帯電話機５から受信した指紋画像ファイルから指紋画像データを抽出し、その指紋画像データが登録者データベース１５に登録されているか否かを判断し、登録者データベース１５に登録されていないとき、ステップ２０５へ進み、登録者データベース１５に登録されているとき、ステップ２０７へ進む。
【００３５】
ステップ２０５で、入退室者認証手段１６は、「登録されていませんので、受付に連絡して下さい。」と当該のカメラ付き携帯電話機５に電話し、不審者データベース１９に、解除要求が行われた時刻、解錠要求を行った電話番号、顔画像ファイルを記憶して入退室コントローラ６の処理を終了し、ステップ２０６へ進む。
ステップ２０６で、カメラ付き携帯電話機５の受話器から「登録されていませんので、受付に連絡して下さい。」と聞こえたとき、解錠希望者は、解除要求の処理を終了する。
このように指紋に基づいて入退室者の個人識別が行われるので、他人が本人になりすますことが難しくなり、セキュリティが実施の形態１の場合よりさらに向上する。なお、指紋以外のバイオメトリクス情報を用いても、セキュリティを向上することができる。
【００３６】
実施の形態３．
この発明の実施の形態３に係わる入退室管理システムは、火災などの災害が発生したとき、また、不審者侵入などの事件が発生したとき、ビル全体に亘って解錠または旋錠することができる。
火災が発生したとき、カメラ付き携帯電話機５から電話番号１１９番に電話を掛けると、ビル内に配置されている基地局９につながり、基地局９では入退室コントローラ６に火災発生信号を送信する。
そして、入退室コントローラ６は、ビル内のすべての錠制御装置４に電気錠３を解錠するように解錠指令を送信する。このようにして、火災が発生したとき、ビル内の全ての扉が開けられるように制御することができる。
【００３７】
また、不審者が見受けられたとき、カメラ付き携帯電話機５から電話番号１１０番に電話を掛けると、基地局９につながり、基地局９では入退室コントローラ６に不審者侵入信号を送信する。
そして、入退室コントローラ６は、ビル内のすべての錠制御装置４に電気錠３を施錠するように施錠指令を送信する。このようにして、不審者などが侵入したとき、取り逃がさないように、ビル内の全ての扉が閉められるように制御することができる。
【図面の簡単な説明】
【００３８】
【図１】この発明の実施の形態１に係わる入退室管理システムのブロック図である。
【図２】実施の形態１に係わる銘板が貼付された扉の様子を示す図である。
【図３】実施の形態１に係わる入退室コントローラの機能ブロック図である。
【図４】登録者データベースのデータ構造を表す図である。
【図５】入退室履歴データベースのデータ構造を表す図である。
【図６】不審者データベースのデータ構造を表す図である。
【図７】実施の形態１に係わる入退室管理システムにおける入退室管理の手順を示すフローチャートである。
【図８】実施の形態２に係わる入退室管理システムにおける入退室管理の手順を示すフローチャートである。
【符号の説明】
【００３９】
１ａ、１ｂ  扉、２  ドアノブ、３  電気錠、４  錠制御装置、５  カメラ付き携帯電話機、６  入退室コントローラ、７  通信回線、８  公衆回線、９  基地局、１１  銘板、１２  扉番号、１３  入口／出口標章、１５  登録者データベース、１６  入退室者認証手段、１７  解錠処理手段、１８  入退室履歴データベース、１９  不審者データベース。
【図１】
2006104801.tif 000003
【図２】
2006104801.tif 000004
【図３】
2006104801.tif 000005
【図４】
2006104801.tif 000006
【図５】
2006104801.tif 000007
【図６】
2006104801.tif 000008
【図７】
2006104801.tif 000009
【図８】
2006104801.tif 000010